(57)【要約】  送信するデータの種別とデータ量を用いて、端末に対するチャネル割当てに必要な通信用チャネル数を算出するチャネル数算出ステップ（Ｓ１３）と、前記算出された通信用チャネル数が１つである場合には、前記端末との回線の品質情報に基づき１つの通信用チャネルを割当て、前記算出された通信用チャネル数が複数である場合には、前記品質情報に基づき連続する通信用チャネルを優先して割当てるチャネル割当てステップ（Ｓ１４）と、連続する複数の通信用チャネルを結合したチャネル単位として予め設定された仮想チャネルに基づいて前記割当てた通信用チャネルを通知するための割当て情報を生成し、当該割当て情報を前記端末に対して送信する割当て情報生成ステップ（Ｓ１５，Ｓ１６）と、を含む。
2008041417.tif 000002
【特許請求の範囲】
【請求項１】
通信システムを構成する通信装置が、自装置に属する端末に対して通信用チャネルを割当て、当該通信用チャネルを当該端末に通知するチャネル割当て通知方法であって、
送信するデータの種別とデータ量を用いて、前記端末との通信に必要な通信用チャネル数を算出するチャネル数算出ステップと、
前記算出された通信用チャネル数が１つである場合には、前記端末との回線の品質情報に基づき１つの通信用チャネルを割当て、前記算出された通信用チャネル数が複数である場合には、前記品質情報に基づき複数の通信用チャネルを割当てるチャネル割当てステップと、
連続する複数の通信用チャネルを結合したチャネル単位として予め設定された仮想チャネルに基づいて前記割当てた通信用チャネルを通知するための割当て情報を生成し、当該割当て情報を前記端末に対して送信する割当て情報生成ステップと、
を含むことを特徴とするチャネル割当て通知方法。
【請求項２】
前記割当て情報に、前記仮想チャネルとして結合された通信チャネルの数である仮想チャネルの次数を示すチャネル単位通知ビットと、仮想チャネルごとの通信用チャネルの割当ての有無を示すチャネルビットと、を含めることとし、
前記割当て情報生成ステップにおいては、
仮想チャネルを構成する全ての通信用チャネルにチャネル割当てが行われている場合に、当該仮想チャネルに割当てが有ると判断し、当該仮想チャネルのチャネルビットに有を示す値を設定することを特徴とする請求項１に記載のチャネル割当て通知方法。
【請求項３】
前記割当て情報に、通信用チャネルの番号による通知または前記仮想チャネルを用いた通知のどちらの通知タイプであるかを示す通知タイプ識別ビットと、通信用チャネルの番号による通知の場合には通信用チャネルの番号に対応する数値を示し、仮想チャネルの通知の場合には仮想チャネルごとの通信用チャネルの割当ての有無を示すチャネルビットと、を含めることとし、
前記割当て情報生成ステップにおいては、
前記チャネル割当てステップにて割当てられた通信用チャネル数に基づき前記通知タイプ識別ビットを設定し、
前記通知タイプが通信用チャネルの番号による通知である場合には、チャネルビットとして通信用チャネルの番号に対応する数値を設定し、
前記通知タイプが仮想チャネルを用いた通知である場合、かつ仮想チャネルを構成する全ての通信用チャネルにチャネル割当てが行われている場合には、当該仮想チャネルに割当てが有ると判断し、当該仮想チャネルのチャネルビットに有を示す値を設定することを特徴とする請求項１に記載のチャネル割当て通知方法。
【請求項４】
連続する２つの通信用チャネルを結合させた仮想チャネルを想定し、
さらに、前記割当て情報に、前記チャネル割当てステップにて割当てられた仮想チャネルごとの通信用チャネルの数を示す割当てチャネル数識別ビットと、仮想チャネルごとの通信用チャネルの割当ての有無を示すチャネルビットと、前記２つの通信用チャネルのうちどちらの通信用チャネルが割当てられたかを示す左右ビットと、を含めることとし、
前記割当て情報生成ステップにおいては、
前記チャネル割当てステップにて割当てられた通信用チャネル数が１つである場合に、その通信用チャネルを含む仮想チャネルにチャネル割当てがあると判断し、当該仮想チャネルのチャネルビットに有を示す値を設定し、さらに、左右ビットにどちらの通信用チャネルが割当てられているかを示す値を設定することを特徴とする請求項１に記載のチャネル割当て通知方法。
【請求項５】
前記割当て情報に、オフセットの量を示すオフセットビットを追加し、
前記割当て情報生成ステップにおいては、
前記チャネルビットに対応する通信用チャネルを、オフセットビットが示す数だけシフトすることを特徴とする請求項２，３または４に記載のチャネル割当て通知方法。
【請求項６】
前記割当て情報のチャネルビットのビット数を特定のビット数に固定し、
前記割当て情報生成ステップにおいては、前記チャネルビットが前記特定のビット数を超える場合に、前記特定のビット数ごとにチャネルビットを分割し、さらに、分割されたチャネルビットごとにチャネル単位通知ビットを付加して割当て情報を生成することを特徴とする請求項２に記載のチャネル割当て通知方法。
【請求項７】
前記割当て情報生成ステップにおいては、前記分割されたチャネルビットごとに生成された割当て情報単位に、時間的、周波数的、または空間的に異なる送信条件を設定し、前記割当て情報のうち前記チャネル割当てステップにて割当てられた通信用チャネルを含むものを前記送信条件に基づいて前記端末に対して送信することを特徴とする請求項６に記載のチャネル割当て通知方法。
【請求項８】
使用可能な通信用チャネルを複数の通信用チャネルで構成されるチャネルグループに分割し、
前記割当て情報に、前記チャネルグループを識別するためのグループビットと、仮想チャネルごとの通信用チャネルの割当ての有無を示すチャネルビットと、を含めることとし、
前記割当て情報生成ステップにおいては、前記チャネル割当てステップにて割当てられた通信用チャネルの数が１つの場合に、当該１つの通信用チャネルが含まれるグループの割当て情報のみを生成することを特徴とする請求項１または２に記載のチャネル割当て通知方法。
【請求項９】
前記チャネル単位の数と前記チャネルグループ数の組合せの数からこれらの情報に使用するビット数を定義することを特徴とする請求項８に記載のチャネル割当て通知方法。
【請求項１０】
通信システムを構成する通信装置が、自装置に属する端末に対して通信用チャネルを割当て、当該通信用チャネルを当該端末に通知する場合における、前記通信装置と前記端末との間の通信方法であって、
前記通信装置が、送信するデータの種別とデータ量を用いて、前記端末に対するチャネル割当てに必要な通信用チャネル数を算出するチャネル数算出ステップと、
前記通信装置が、前記算出された通信用チャネル数が１つである場合には、前記端末との回線の品質情報に基づき当該端末に対して１つの通信用チャネルを割当て、前記算出された通信用チャネル数が複数である場合には、前記品質情報に基づき当該端末に対して複数の通信用チャネルを割当てるチャネル割当てステップと、
前記通信装置が、前記連続する複数の通信用チャネルを結合した新たなチャネル単位である仮想チャネルに基づいて前記割当てた通信用チャネルを通知するための割当て情報を生成し、当該割当て情報を前記端末に対して送信する割当て情報生成ステップと、
前記端末が、受信した前記割当て情報に対して、上記割当て情報生成処理と逆の処理を実行することにより、自端末に割当てられた通信用チャネルを求める割当てチャネル算出ステップと、
を含むことを特徴とする通信方法。
【請求項１１】
自装置に属する端末とともに通信システムを構成し、当該端末に対して通信用チャネルを割当てる通信装置であって、
送信するデータの種別とデータ量を用いて、前記端末との通信に必要な通信用チャネル数を算出し、当該算出された通信用チャネル数が１つである場合には、前記端末との回線の品質情報に基づき１つの通信用チャネルを割当て、前記算出された通信用チャネル数が複数である場合には、前記品質情報に基づき複数の通信用チャネルを割当てるチャネル割当て手段と、
連続する複数の通信用チャネルを結合したチャネル単位として予め設定された仮想チャネルに基づいて前記割当てた通信用チャネルを通知するための割当て情報を生成する割当て情報生成手段と、
を備えることを特徴とする通信装置。
【発明の詳細な説明】
【技術分野】
【０００１】
本発明は、複数のチャネルを使用して通信を行う通信システムにおけるチャネル割当て通知方法に関するものであり、特に複数のチャネルを１つの端末に割当てる場合のチャネル通知方法に関する。
【背景技術】
【０００２】
現在３ＧＰＰ（3rd  Generation  Partnership  Project）において、ＬＴＥ（Long  Term  Evolution）と称して新たな無線方式を採用した無線システムの検討がなされている。この無線システムでは、周波数軸上に複数の通信チャネルを定義し、品質状態に応じて、通信に使用するチャネルを端末に割当てる。割当てられたチャネル情報はデータ送信の前に制御チャネルを用いて、各端末に通知される。下記非特許文献１の７．１．１．２．３．１節のTable７．１．１．２．３．１−１には下り回線について、７．１．１．２．３．２節のTable７．１．１．２．３．２−１には上り回線について、それぞれチャネル割当て情報が、制御情報の１つの要素（Resource  assignment）として記載されている。【０００３】
また、この無線システムでは、１台の端末に複数のチャネルを割当てることが許容されているが、具体的な通知の方法は３ＧＰＰにおいてまだ決定されていない。１つの例として下記非特許文献２のFigure１の上段にビットマップによるチャネル割当通知方法が記載されている。図１１にその方法を示す。チャネル割当て局１０１は、チャネル割当てを行う局であり、端末１０２−１、端末１０２−２、端末１０２−３は、チャネル割当て局１０１によってチャネルを割当てられる端末である。制御情報１０３−１、１０３−２、１０３−３は、それぞれ端末１０２−１、端末１０２−２、端末１０２−３に送信されたチャネル割当て情報である。【０００４】
チャネル割当て局１０１は、チャネル割当てを行うと、制御チャネルを用いて端末１０２−１、端末１０２−２、端末１０２−３にチャネル情報を通知する。下記非特許文献２に示されているようなビットマップ法によれば、各ビットが、周波数軸上の各通信チャネルに対応し、チャネル割当て局１０１は、割当てたチャネルに対応するビットのみに“１”をたて、その他のビットは“０”としてチャネル情報を通知する。そして、端末１０２は、“１”がたっているビットに対応する通信チャネルが自局端末に割当てられたチャネルであると判断する。なお、図１１では図示していないが、実際には、制御情報には端末番号が付与されており、端末はそれを最初に検出することにより、いずれの制御情報が自局宛のものかを判断することができる。【０００５】
【非特許文献１】３ＧＰＰ，“ＴＲ２５．８１４  Ｖ７．０．０”，２００６
【非特許文献２】３ＧＰＰ，“Ｒ１−０６０５７３”，２００６
【発明の開示】
【発明が解決しようとする課題】
【０００６】
しかしながら、上記従来の技術では、通信チャネルが少ない場合には対応する制御情報ビット数も少なくて済むが、多数のチャネルが使用される実システムでは制御情報のビット数が大きくなる。図１１の例では、通信チャネルが６つであるが、たとえば、Ｎ個の通信チャネルを使用する無線システムで同時にＭ台の端末にチャネル割当情報を送ると、チャネル割当て局は、少なくともＮ×Ｍビットの制御情報を送信することになる。このため、多数の通信チャネルや端末が存在する場合には制御チャネルによる情報が多くなり、通信リソースが限られている無線通信において、通信チャネルを圧迫するという問題があった。【０００７】
また、現在３ＧＰＰで定義されている通信チャネル１つの大きさは、一度に送るべき情報量が少ないＶｏＩＰ（Voice  over  Internet  Protocol）通信のパケットやＴＣＰ−ＡＣＫのパケットなどを基準にしている。一方で、ストリーミング伝送やＷＷＷ（World  Wide  Web）などでは短い時間に大きなサイズの情報を伝送することになり、複数の通信チャネルを同一端末に割当てる可能性がある。このような場合に、複数通信チャネルとして隣り合う通信チャネルを割当てるときには、連続した範囲を示すことによりチャネル割当て情報のデータ量を削減できる可能性がある。しかし、１通信チャネルに１ビットが対応するビットマップ法によりチャネル割当て情報を通知する場合には、隣りあうチャネルを割当てるときであってもチャネル割当て情報のデータ量を削減することができないという問題があった。【０００８】
本発明は、上記に鑑みてなされたものであって、端末に通知するチャネル割当て情報のデータ量を削減したチャネル割当て通知方法を得ることを目的とする。
【課題を解決するための手段】
【０００９】
上述した課題を解決し、目的を達成するために、本発明は、通信システムを構成する通信装置が、自装置に属する端末に対して通信用チャネルを割当て、当該通信用チャネルを当該端末に通知するチャネル割当て通知方法であって、送信するデータの種別とデータ量を用いて、前記端末との通信に必要な通信用チャネル数を算出するチャネル数算出ステップと、前記算出された通信用チャネル数が１つである場合には、前記端末との回線の品質情報に基づき１つの通信用チャネルを割当て、前記算出された通信用チャネル数が複数である場合には、前記品質情報に基づき複数の通信用チャネルを割当てるチャネル割当てステップと、連続する複数の通信用チャネルを結合したチャネル単位として予め設定された仮想チャネルに基づいて前記割当てた通信用チャネルを通知するための割当て情報を生成し、当該割当て情報を前記端末に対して送信する割当て情報生成ステップと、を含むことを特徴とする。
【発明の効果】
【００１０】
この発明によれば、隣接したチャネル結合した仮想チャネルを定義し、仮想チャネルを用いて割当て情報を通知するようにしたので、端末に通知するチャネル割当て情報のデータ量を削減することができるという効果を奏する。
【図面の簡単な説明】
【００１１】
【図１】図１は、実施の形態１の通信システムの構成例を示す図である。
【図２】図２は、実施の形態１の基地局の機能構成例を示す図である。
【図３】図３は、実施の形態１の端末の機能構成例を示す図である。
【図４】図４は、実施の形態１の下り回線のチャネル割当て動作のフローチャートである。
【図５】図５は、実施の形態１の上り回線のチャネル割当て動作のフローチャートである。
【図６】図６は、実施の形態２の通信システムの構成例を示す図である。
【図７】図７は、実施の形態３の通信システムの構成例を示す図である。
【図８】図８は、実施の形態４の通信システムの構成例を示す図である。
【図９】図９は、実施の形態５の通信システムの構成例を示す図である。
【図１０】図１０は、実施の形態６の通信システムの構成例を示す図である。
【図１１】図１１は、従来のチャネル割当て方法を示す図である。
【図１２】図１２は、実施の形態７の通信システムの構成例を示す図である。
【符号の説明】
【００１２】
１  基地局
２−１，２−２，２−３，２−４，２−５，２−６，２−７  端末
３−１，３−２，３−３，３−４，３−５，３−６，３−７  ユーザインタフェース装置
４  ネットワーク
５−１，５−２，５−３，６−１，６−２，６−３，７−１，７−２，７−３，８−１，８−２，８−３，９−１，９−２，９−３，９−４，９−５，１０−１，１０−２，１０−３，１２−１，１２−２，１２−３，１２−４，１２−５，１２−６，１２−７  割当て情報
【発明を実施するための最良の形態】
【００１３】
以下に、本発明にかかるチャネル割当て通知方法、通信方法および通信装置の実施の形態を図面に基づいて詳細に説明する。なお、この実施の形態によりこの発明が限定されるものではない。【００１４】
実施の形態１．
図１は、本発明にかかる通信システムの実施の形態１の構成例を示す図である。本実施の形態では、通信装置として基地局１を例に説明する。図１に示すように、本実施の形態の通信システムは、端末２−１，２−２，２−３にチャネル割当てを行う基地局１と、無線端末である端末２−１，２−２，２−３と、端末２−１，２−２，２−３にそれぞれ接続され、ユーザの操作を受け付けて送信データを生成し、また、受信したデータを音声や画像などにユーザが利用できる形態にするユーザインタフェース装置３−１，３−２，３−３とを備えている。ネットワーク４は、他の基地局などを接続するネットワークであり、端末２−１，２−２，２−３宛てのデータは、ネットワーク４経由で基地局１に送信される。また、端末２−１，２−２，２−３から通信相手先に送信されるデータは、基地局１経由でネットワーク４に送信され、通信相手先に送信される。また、割当て情報５−１，５−２，５−３は、基地局１から端末２−１，２−２，２−３にそれぞれ送信されるチャネル割当て情報である。なお、本実施の形態の通信システムでは、第０チャネル〜第５チャネルの６つのチャネルが使用可能であり、基地局１はこの６つのチャネルのなかからそれぞれ選択したチャネルを端末２−１，２−２，２−３に割当てる。【００１５】
図２は、基地局１の機能構成例を示す図である。図２に示すように、基地局１は、端末のチャネル割当て（スケジューリング）を行うチャネル割当て部１１と、ネットワークから到来したデータを蓄積するデータバッファ部１２と、チャネル割当て情報を含む制御情報を生成する制御情報生成部１３と、制御情報生成部１３で生成された制御情報とデータバッファ部１２に蓄積されたデータを変調して送信する変調／送信部１４と、端末からのデータを受信して復調する受信／復調部１５と、受信データを用いて上り回線の各通信チャネルの品質を測定する品質測定部１６と、復調されたデータを解析し、データ部分を分離してネットワークに送出する受信信号解析／分離部１７を備えている。【００１６】
図３は、端末２−１，２−２，２−３の機能構成例を示す図である。図３に示すように、本実施の形態の端末は、基地局１からのデータを受信して復調する受信／復調部２１と、復調したデータを解析し、データを分離してユーザインタフェース装置３−１，３−２，３−３に送出する受信信号解析／分離部２２と、受信信号から下り回線の各通信チャネルの品質を測定する品質測定部２３と、ユーザインタフェース装置３−１，３−２，３−３から到来するデータを蓄積するデータバッファ部２４と、データバッファ部２４にデータが存在する場合にチャネル割当て要求を生成する割当て要求生成部２５と、割当て要求生成部２５で生成されたチャネル割当て要求とデータバッファ部２４に蓄積されたデータと品質測定部２３で測定された品質情報を変調して送信する変調／送信部２６を備えている。【００１７】
つづいて、本実施の形態のチャネル割当ての通知に使用する割当て情報５−１，５−２，５−３について図１を用いて説明する。図１に示すように、本実施の形態では、チャネル単位通知ビットを設けていること、および、チャネルを結合した仮想的なチャネル単位を設けていることが特徴である。仮想的なチャネル単位とは、連続するチャネルを結合して１つのチャネルとして扱う単位のことである。【００１８】
一般に、隣り合うチャネルには相関があり、品質が類似している場合が多い。つまり１つの端末にとって、あるチャネルの品質が良い場合には、そのチャネルに隣接するチャネルの品質も良い可能性が高い。したがって、複数のチャネルを同一端末に割当てる場合、連続する複数のチャネルとなることが多いと考えられる。このような場合には連続する複数のチャネルを結合させて１チャネルとして表現することにより、チャネル割当て情報として使用するビット数を従来のビットマップ法に比べ少なくすることができる。【００１９】
ここで、以下の説明では、結合するチャネルの数を次数とよぶことにする。また、結合を行わない本来のチャネル単位を１次レベル、２つのチャネルを結合したチャネル単位を２次レベル、３つのチャネルを結合したチャネル単位を３次レベル、というように、結合したチャネル単位を次数レベルでよぶことにする。【００２０】
２次レベルでは、第０チャネルと第１チャネル、第２チャネルと第３チャネル、第４チャネルと第５チャネルをそれぞれ結合し、仮想的な３つのチャネルとし、３次レベルでは、第０チャネルと第１チャネルと第２チャネル、第３チャネルと第４チャネルと第５チャネルをそれぞれ結合し、仮想的な２つのチャネルとする。なお、本実施の形態では、３次レベルを最大の次数とするが、これに限らず、最大の次数は、提供するサービスのデータ種別（１つの端末に割当てられるチャネルはデータ種別に依存するため）、無線伝送路の変化特性、通信システムの使用可能チャネル数などに応じて適切に設定する。また、使用可能チャネル数が仮想チャネルの次数で割り切れないときには、端数のチャネルが生じるが、この場合、その端数のチャネルは一次レベルで表現する。たとえば、使用可能チャネル数が７チャネルの場合には、２次レベルで通知する場合に、１チャネル分は仮想チャネルが定義できない。この場合、どのチャネルを１次レベルで通知するかをあらかじめ決めておき、そのチャネルを除いたチャネルで仮想チャネルを定義することになる。【００２１】
図１において、割当て情報５−１，５−２，５−３の一番左に示したビットは、チャネル単位通知ビットであり、そのビットに続く割当てチャネルを表す６ビットの情報（チャネルビットとよぶ）がどのチャネル単位で通知するかを示す。たとえば、本実施の形態では、“００”は１次レベル、“０１”は２次レベル、“１０”は３次レベルで通知することを示す。チャネルビットは、従来のビットマップ法と同様に、各々のビットが割当てられたチャネルに対応し“１”となるビットに対応するチャネルが割当てられたチャネルとする。割当てられていないチャネルに対応するチャネルビットは“０”とする。【００２２】
図１の例では、端末２−１は第４チャネルのみ、端末２−２は第５チャネルのみ、端末２−３は第０チャネル〜第３チャネルまでの４つのチャネル、が割当てられている。したがって、割当て情報５−１，５−２は、１次レベルで通知することになり、チャネル単位通知ビットは“００”となる。チャネルビットについては、割当て情報５−１では、割当てられた第４チャネルに対応するビットが“１”となり、それ以外のビットは０となり、割当て情報５−２では、割当てられた第５チャネルに対応するビットが“１”となり、それ以外のビットは０となる。【００２３】
一方、割当て情報５−３は、４つの連続するチャネルの割当てを表現するために、２次レベルで通知している。したがって、チャネル単位通知ビットは、“０１”となり、チャネルビットは、第０チャネルと第１チャネルを結合したチャネルに対応するビット、および、第２チャネルと第３チャネルを結合したチャネルに対応するビットが、それぞれ“１”となり、第４チャネルと第５チャネルを結合したチャネルに対応するビットが“０”となる。【００２４】
なお、本実施の形態では、次数ごとに結合するチャネルが固定的に決まっているため、たとえば、連続する２つのチャネルが割当てられたときでも、第１のチャネルと第２のチャネルが割当てられた場合には、２次レベルで定義している組み合わせ（第０と第１チャネル、第２と第３チャネル、第４と第５チャネルの３つの組み合わせ）と異なる。このため、２次レベルで通知することはできない。このような場合には、１次レベルで通知することとし、チャネル単位通知ビットを”００“とする。そして、チャネルビットの第１のチャネルに対応するビットおよび第２のチャネルに対応するビットを“１”、それ以外のチャネルに対応するビットを０にする。【００２５】
また、本実施の形態では、次数ごとに結合するチャネルが固定的に決まっているため、できるだけ高い次数レベルで通知するというルールを決めて、ある端末のビット割当てが決まれば、割当て情報５−１，５−２，５−３（チャネル単位通知ビットとチャネルビット）が一意に決まる。【００２６】
つづいて、割当てチャネルが決定した後の割当て情報５−１，５−２，５−３の生成方法について説明する。まず、割当てチャネルの数を求め、割当てチャネルが１つのみの場合には１次レベルを用いることとし、チャネル単位通知ビットは“００”とする。また、チャネルビットは６ビットとし、対応するビットのみ“１”とし、他のビットは０とする。割当てチャネルが２つの場合には、２次レベルで表現できる３つの組み合わせ（第０と第１チャネル、第２と第３チャネル、第４と第５チャネル）と比較し、いずれかにあてはまるかを判断する。いずれかにあてはまる場合には、２次レベルを用いることとしてチャネル単位通知ビットを“０１”とする。また、チャネルビットは３ビットとし、対応するチャネル（結合後のチャネル）のみに対応するビットのみ“１”とし、他のビットは０とする。【００２７】
割当てチャネルが３つの場合は、同様に３次レベルで表現できるチャネルの組み合わせであるかどうかを判断して、表現できる場合には、３次レベルで表現できる２つの組み合わせ（第０と第１と第２チャネル、第３と第４と第５チャネル）と比較し、いずれかにあてはまるかを判断する。いずれかにあてはまる場合には、３次レベルを用いることとし、チャネル単位通知ビットを“１１”とする。チャネルビットは２ビットとし、対応するチャネル（結合後のチャネル）のみに対応するビットのみ“１”とし、他のビットは０とする。【００２８】
割当てチャネルが４つの場合には、２次レベルのチャネルを２つ用いるが、生成方法は、割当てチャネルが２つの場合と同様である。割当てチャネルが５つの場合には、１次レベルで通知する。チャネルビットで“１”とするビットが５個になるが、生成方法は、割当てチャネル１の場合と同様である。割当てチャネルが６つの場合には、３次レベルを用いることとし、チャネル単位通知ビットを“１１”とする。チャネルビットは２ビットとし、２ビットとも“１”とする。【００２９】
なお、これに限らず、上述のとおりビット割当て（どのチャネルが割当てられるか）と割当てビット情報の対応は、一意に決まるため、たとえば、ビット割当てと割当て情報５−１，５−２，５−３の対応をテーブルなどで持つなどにより生成してもよい。【００３０】
また、本実施の形態では、最大６チャネルを使用可能としているが、チャネル数はこれにかぎらない。チャネル数が６以外の場合にも、チャネル数を等分割して、等分割されたチャネルを結合した仮想チャネルと定義すれば、同様に仮想チャネルを用いた割当て情報が生成できる。【００３１】
つづいて、本実施の形態のチャネル割当て動作について説明する。図４，５は、それぞれ下り回線のチャネル割当て動作に関するフローチャート，上り回線のチャネル割当て動作に関するフローチャートである。以下、図２，３，４，５を用いて説明する。【００３２】
はじめに、下り回線のチャネル割当て動作について説明する。まず、基地局１の受信／復調部１５が端末２−１，２−２，２−３から送信された信号を受信して復調し、受信信号解析／分離部１７が、復調したデータに含まれる下り回線の品質情報をとりだして、チャネル割当て部１１に通知する（ステップＳ１１）。下り回線の品質情報は、端末２−１，２−２，２−３の受信／復調部２１が下り回線の信号を受信し、品質測定部２３がその受信した信号の品質を測定した場合の、測定結果を示す情報である。品質測定部２３による測定結果は、下り回線の品質情報として、変調／送信部２６により変調されて送信される。なお、ステップＳ１１は、後述のステップＳ１３までに実施されていればよく、チャネル割当て動作の最初に行わなくてもよい。【００３３】
つぎに、基地局１のデータバッファ部１２は、ネットワーク４から端末２−１，２−２，２−３宛のデータを受信すると、データを蓄積する（ステップＳ１２）。基地局１のチャネル割当て部１１は、蓄積されたデータを読み出し、データ量，データの種類，宛先端末などを用いて必要なチャネル数を算出する（ステップＳ１３）。なお、チャネル割当て部１１は、データバッファ部１２を定期的に参照し、データバッファ１２にデータが蓄積されているかどうかを確認し、蓄積されている場合にステップＳ１３を実施する。【００３４】
つぎに、チャネル割当て部１１は、算出したチャネル数および受信信号解析／分離部１７から通知される下り回線の品質情報に基づいて、各端末にチャネルを割当てる（ステップＳ１４）。このとき、同一の端末に複数のチャネル割当てが必要な場合には、連続するチャネルを優先して割当てる。【００３５】
つぎに、制御情報生成部１３は、チャネル割当て部１１が割当てたチャネル割当て結果を用いて、前述の割当て情報５−１，５−２，５−３の生成方法に基づき、割当て情報５−１，５−２，５−３の生成と、通信システムで規定されたチャネル割当て情報以外の情報の生成と、を行う（ステップＳ１５：制御情報生成処理）。つぎに、変調／送信部１４は、制御情報生成部１３からチャネル割当て結果を取得し、チャネル割当て結果に基づきステップＳ１５で生成された制御情報とデータバッファ１２に蓄積されているデータとをそれぞれ変調し、端末２−１，２−２，２−３へ送信する（ステップＳ１６）。【００３６】
つぎに、端末２−１，２−２，２−３の受信／復調部２１は、ステップＳ１６で送信された信号を受信して復調する（ステップＳ１７）。つぎに、端末２−１，２−２，２−３の受信信号解析／分離部２２は、ステップＳ１７で復調したデータから、割当て情報５−１，５−２，５−３をとりだし、割当て情報５−１，５−２，５−３を用いて自端末に割当てられたチャネルを算出する（ステップＳ１８）。割当て情報５−１，５−２，５−３から割当てチャネルを算出する方法は、前述の割当て情報５−１，５−２，５−３の生成方法と逆の処理を行えばよく、具体的には、たとえば、つぎのような処理を行う。チャネル単位通知ビットの数値に対して、チャネル単位（結合したチャネルの次数）とチャネルビットのビット数とをテーブルでもつ。そして、まず、割当て情報５−１，５−２，５−３のチャネル単位通知ビットを読み出し、そのテーブルを参照して、チャネルビットのビット数分のチャネルビットを読み出す。そして、チャネルビットの数値とチャネルの次数とを用いて割当てチャネルを算出する。【００３７】
つぎに、端末２−１，２−２，２−３の受信信号解析／分離部復調信号２２は、割当てられたチャネルを受信／復調部２１に通知し、受信／復調部２１は、このチャネル情報を用いて、データ部の受信と復調を行う（ステップＳ１９）。つぎに、受信信号解析／分離部２２は、この復調されたデータ部を分離して、それぞれが接続しているユーザインタフェース装置３−１，３−２，３−３に送信する（ステップＳ２０）。【００３８】
１回の割当て動作は以上で終了であるが、端末２−１，２−２，２−３の品質測定部２３は、次回の下り回線の割当て動作に備えて、これ以降も受信したデータの品質の測定を行い、変調／送信部２６がそれを下り回線の品質情報として変調して基地局１に送信する。【００３９】
つづいて、上り回線のチャネル割当て動作について説明する。ここでは、例として端末２−１が割当て要求を送信する場合について説明するが、端末２−２，２−３についても同様である。まず、ユーザインタフェース装置３−１がユーザの操作を受け付けて通信相手先へ送信するデータを生成し、端末２−１に送信すると、端末２−１のデータバッファ部２４がそのデータを受信し、そのデータを蓄積する（ステップＳ２１）。割当て要求生成部２５は、データバッファ部２４を定期的に参照しているが、データバッファ部２４にデータが蓄積していると、割当て要求信号を生成して変調／送信部２６に送信する（ステップＳ２２）。割当て要求信号は、割当て要求情報（端末の識別情報，送信するデータの種類を識別する情報，データ量などチャネル割当てに必要な情報）を含むものとする。変調／送信部２６は、この要求信号を変調して基地局１に送信する（ステップＳ２３）。【００４０】
つぎに、基地局１の受信／復調部１５がこの信号を受信して復調し、受信信号解析／分離部１７が、この復調データから割当て要求信号を検出して割当て要求情報をとりだし、割当て情報をチャネル割当て部１１に通知する（ステップＳ２４）。【００４１】
品質測定部１６は、受信／復調部１５で受信された上り回線の信号の品質を測定してチャネル割当て部１１に通知する（ステップＳ２５）。つぎに、チャネル割当て部１１は、ステップＳ２４で通知された割当要求情報を用いて必要なチャネル数を算出する（ステップＳ２６）。そして、チャネル割当て部１１は、算出されたチャネル数とステップＳ２５で通知された上り回線の品質情報に基づいて、割当て要求送信元の端末２−１にチャネルを割当てる（ステップＳ２７）。【００４２】
つぎに、制御情報生成部１３は、チャネル割当て部１１が割当てた結果を用いて、割当て情報５−１の生成と、通信システムで規定されたその他の制御情報の生成と、を行う（ステップＳ２８）。チャネル割当て結果を用いた割当て情報５−１の生成方法は、下り回線のステップＳ１５と同様である。つぎに、変調／送信部１４は、ステップＳ２８で生成された制御情報を変調して端末２−１へ送信する（ステップＳ２９）。【００４３】
つぎに、端末２−１の受信／復調部２１は、ステップＳ２９で送信された信号を受信して復調する（ステップＳ３０）。つぎに、端末２−１の受信信号解析／分離部２２は、ステップＳ３０で復調したデータから、割当て情報５−１をとりだし、割当て情報５−１を用いて自端末に割当てられたチャネルを算出する（ステップＳ３１）。割当てチャネルの算出方法は、下り回線のステップＳ１８と同様である。【００４４】
つぎに、端末２−１の受信信号解析／分離部２２は、算出した割当てチャネルを変調／送信部２６に通知するとともに、データバッファ部２４に対して変調／送信部２６へのデータ出力を命じる（ステップＳ３２）。つぎに、端末２−１の変調／送信部２６は、割当て情報５−１に基づきデータバッファ部２４から出力されたデータを変調して送信する（ステップＳ３３）。【００４５】
基地局１の受信／復調部１５はステップＳ３３で送信された信号を受信して復調し、受信信号解析／分離部１７は、データ部を分離して、ネットワークへ送信する（ステップＳ３４）。【００４６】
このように、本実施の形態では、複数のチャネルを結合した仮想的なチャネル単位を定義し、通知タイプ識別ビットとチャネルビットを用いて、その仮想的なチャネルを単位として割当て情報を生成するようにした。これにより、チャネルの割当て情報通知する際に、従来のビットマップ法で通知する場合に比べ、割当て情報５−１，５−２，５−３のビット数を削減することができる。【００４７】
実施の形態２．
図６は、本発明にかかる通信システムの実施の形態２の構成例を示す図である。本実施の形態では、割当て情報５−１，５−２，５−３の代わりに割当て情報６−１，６−２，６−３を用い、それ以外の構成は実施の形態１と同様である。割当て情報６−１は端末２−１に、割当て情報６−２は端末２−２に、割当て情報６−３は端末２−３にそれぞれ対応するチャネル割当て情報である。実施の形態１と同様の機能のものは、同一の符号を付して説明を省略する。基地局１、端末２−１，２−２，２−３の機能構成も実施の形態１と同様である。本実施の形態では、単一チャネルが割当てられた場合には、チャネル番号をダイレクトに割当て情報として通知する。【００４８】
つづいて、本実施の形態の割当て情報６−１，６−２，６−３の生成方法について説明する。図６の例では、端末２−１は第４チャネルのみ、端末２−２は第５チャネルのみ、端末２−３は第０チャネル〜第３チャネルまでの４つのチャネル、が割当てられている。【００４９】
図６に示すように、割当て情報６−１，６−２，６−３は、通知タイプ識別ビットとチャネルビット（チャネルを通知するビット）で構成される。通知タイプ識別ビットは１ビットであり、“１”は、１次レベル（単一チャネル）の通知、“０”は２次レベルの通知であることを示す。チャネルビットのビット数は、単一チャネルの割当てを通知する場合には、チャネル番号を通知するのに必要なビット数（この場合は、チャネル数が６チャネルなので３ビット）であり、２次レベルの通知の場合には、２次レベルのチャネル数（この場合は３）となる。【００５０】
端末２−１，２−２はそれぞれ単一チャネルが割当てられているので、割当て情報６−１，６−２は、いずれも図６に示すように通知タイプ識別ビットは“１”となる。チャネルビットは、それぞれ割当てられたチャネルを示す数値とするため、割当て情報６−１が“４”、割当て情報６−２は“５”とする。ここで、チャネル番号との対応を明確にするため、図６ではチャネルビットを１０進数で表示しているが、実際には３ビットを用いて２進数で表現する。【００５１】
一方、割当て情報６−３は、端末２−３が４つのチャネルを割当てられているため、２つの２次レベルのチャネルを用いて通知する。したがって、通知タイプ識別ビットは、“０”となり、チャネルビットは、第１と第２のチャネルの結合チャネルに相当するビットと、第３と第４のチャネルの結合チャネルに相当するビット、がそれぞれ“１”となり、残りは“０”となる。なお、２次レベルの割当て情報のチャネルビットの生成方法は、実施の形態１と同様とする。【００５２】
また、本実施の形態のチャネル割当て動作では、図４，５に示した実施の形態１のステップＳ１５，Ｓ２８の割当て情報生成において、図６に示したような本実施の形態の割当て情報６−１，６−２，６−３を生成し、ステップＳ１８，Ｓ３１の割当てチャネル算出においては、割当て情報６−１，６−２，６−３の算出と逆の処理を行う。それ以外のチャネル割当て動作は、実施の形態１と同一である。【００５３】
また、本実施の形態は、チャネル割当てが、単一チャネルの割当てと２次レベルの割当てとのどちらかに必ずあてはまる場合について説明したが、これ以外のチャネル割当てが予想される場合には、通知タイプ識別ビットとチャネル単位通知ビットを併用することで実現できる。たとえば、通知タイプ識別ビットが“０”の場合には、チャネル単位通知ビットを参照することとし、チャネル単位通知ビットとチャネルビットの生成方法については、実施の形態１と同様とする。【００５４】
このように、本実施の形態では、単一チャネルを割当てる場合に、ダイレクトにチャネル番号を通知するようにした。これにより、使用可能なチャネル数が３以上の場合においては、ビットマップ法で通知する場合より割当て情報のデータ量を削減することができる。特にチャネル数の多い場合には、大幅な削減が可能である。【００５５】
実施の形態３．
図７は、本発明にかかる通信システムの実施の形態３の構成例を示す図である。本実施の形態では、割当て情報５−１，５−２，５−３の代わりに割当て情報７−１，７−２，７−３を用い、それ以外の構成は実施の形態１と同様である。割当て情報７−１は端末２−１に、割当て情報７−２は端末２−２に、割当て情報７−３は端末２−３にそれぞれ対応する割当て情報である。実施の形態１と同様の機能のものは、同一の符号を付して説明を省略する。基地局１、端末２−１，２−２，２−３の機能構成も実施の形態１と同様である。本実施の形態では、割当て情報７−１，７−２，７−３を２次レベルで全て表現し、単一チャネルを通知するために、２次レベル内の２つのチャネルのどちらが割当てられたかを識別できるように、別のビットを設けて通知する。【００５６】
つづいて、本実施の形態の割当て情報７−１，７−２，７−３の生成方法について説明する。図７の例では、端末２−１は第４チャネルのみ、端末２−２は第５チャネルのみ、端末２−３は第０チャネル〜第３チャネルまでの４つのチャネル、が割当てられている。【００５７】
図７に示すように、割当て情報７−１，７−２，７−３は、チャネル単位通知ビットと左右ビットとチャネルビットで構成される。チャネル単位通知ビットは１ビットであり、“１”は、単一のチャネルの通知であり、左右ビットを参照する必要があることを示す。“０”は、２次レベルの結合チャネルの両方が割当てられているために、左右ビットを参照する必要がないことを示す。左右ビットは１ビットであり、２次レベルの結合前のチャネルのうちの番号の若い（左側の）チャネルが割当てられた場合に“０”とし、老番のチャネル（右側の）チャネルが割当てられた場合に“１”とする。なお、チャネル単位通知ビットが“１”の場合には、左右ビットは使用しないので、データ生成時には、あらかじめ“０”とするか“１”とするかどちらかに決めておき、受信時に参照しないようにする。あるいは、その場合には左右ビットを削除して通知するようにしてもよい。チャネルビットのビット数は、単一チャネルの割当ての場合も含め、すべての場合に２次レベルのチャネル数（この場合は３）に統一される。【００５８】
端末２−１，２−２は、単一チャネルが割当てられているので、それぞれに対する割当て情報７−１，７−２については、図７に示すようにチャネル単位通知ビットをいずれも“０”とする。また、端末２−１は第４チャネルが割当てられているので、割当て情報７−１のチャネルビットについては、第４チャネルと第５チャネルを結合した２次レベルのチャネルを表すビット（この場合は一番左のビット）を“１”とし、他のチャネルビットを“０”とする。更に、左右ビットについては、結合した第４チャネルと第５チャネルのうち、若い番号のチャネルである第４チャネルが割当てられているので、左右ビットを“０”とする。【００５９】
第５チャネルが割当てられた端末２−２に対応する割当て情報７−２は、チャネルビットについては割当て情報７−１と同一とするが、結合した第４チャネルと第５チャネルのうち、老番のチャネルである第５チャネルが割当てられているので、左右ビットは“１”とする。【００６０】
一方、割当て情報７−３については、端末２−３が４つのチャネルを割当てられているため、チャネル単位通知ビットを“１”とする。チャネルビットは、第１と第２のチャネルの結合チャネルに相当するビットと、第３と第４のチャネルの結合チャネルに相当するビット、をそれぞれ“１”とし、残りを“０”とする。なお、２次レベルのチャネルビットの生成方法は、実施の形態１と同様とする。【００６１】
また、本実施の形態のチャネル割当て動作では、図４，５のステップＳ１５，Ｓ２８の割当て情報生成において、図７に示したような本実施の形態の割当て情報７−１，７−２，７−３を生成し、ステップＳ１８，Ｓ３１の割当てチャネル算出においては、割当て情報７−１，７−２，７−３の算出と逆の処理を行う。それ以外のチャネル割当て動作は、実施の形態１と同一である。【００６２】
また、本実施の形態は、チャネル割当てが、単一チャネルの割当てと２次レベルの割当てとのどちらかに必ずあてはまる条件である場合について説明したが、これ以外のチャネル割当てが予想される場合には、ビットマップ法で通知するか否かの識別ビットをさらに設ければよい。ビットマップ法で通知する場合には、実施の形態１のチャネル単位通知ビットおよびチャネルビットの生成方法と同様とする。【００６３】
このように、本実施の形態では、２次レベル内のどちらのチャネルが割当てられているかを識別するビットを設けて、単一チャネルで割当てられた場合においても、２次レベルのチャネル単位で通知することとした。これにより、従来のビットマップ法で通知する場合より割当て情報のデータ量を削減することができる。【００６４】
実施の形態４．
図８は、本発明にかかる通信システムの実施の形態４の構成例を示す図である。本実施の形態では、割当て情報５−１，５−２，５−３の代わりに割当て情報８−１，８−２，８−３を用い、それ以外の構成は実施の形態１と同様である。割当て情報８−１は端末２−１に、割当て情報８−２は端末２−２に、割当て情報８−３は端末２−３にそれぞれ対応する割当て情報である。実施の形態１と同様の機能のものは、同一の符号を付して説明を省略する。基地局１、端末２−１，２−２，２−３の機能構成も実施の形態１と同様である。本実施の形態では、オフセットビットを導入し、実施の形態１で定義した２次レベルのチャネルの組み合わせ以外の組み合わせに対応できるようにしている。【００６５】
つづいて、本実施の形態の割当て情報８−１，８−２，８−３について説明する。図８の例では、端末２−１は第０チャネルのみ、端末２−２は第５チャネルのみ、端末２−３は第１〜４チャネルの４チャネル、が割当てられている。【００６６】
このような場合、端末２−３の割当て情報は、連続した４チャネルが割当てられているが、実施の形態１の２次レベルで通知することはできないという問題がある。これは、実施の形態１では、２次レベルとして、第０チャネルと第１チャネル、第２チャネルと第３チャネル、第４チャネルと第５チャネルの３つの固定的なチャネルの結合を定義しているためである。この問題を解決するために、本実施の形態では、図８に示すようにオフセットビットを導入し、実施の形態１のチャネル組み合わせと異なるチャネルの組み合わせで、仮想的な結合チャネルを定義できるようにする。【００６７】
図８に示すように、本実施の形態の割当て情報８−１，８−２，８−３は、１ビットのオフセットビット、２ビットのチャネル単位通知ビット、チャネル数分のビット数のチャネルビット、で構成される。オフセットビットが“０”の場合には、オフセットなしを意味し、チャネル単位通知ビットおよびチャネルビットの意味は、実施の形態１と同様である。オフセットビットが“１”の場合には、チャネルビットを１チャネルオフセットさせて通知することを示す。「１チャネルオフセットさせて通知する」とは、オフセットさせていないときの第０チャネルの位置に第１チャネルの情報（そのチャネルの割当ての有無）を、オフセットさせていないときの第１チャネルの位置に第２チャネルの情報を、というように、オフセットさせていないときの第ｎチャネルの位置に第（ｎ＋１）チャネルの情報を示すことを意味する。なお、最小チャネル（図８の場合は第０チャネル）の情報は、オフセットさせていないときの最大チャネルの位置（図８の場合は第５チャネル）に示す。【００６８】
したがって、チャネルビットの一番若い番号を示すビット（図８の例では一番左側）は、オフセットビットが“０”のときには第０チャネルの割当ての有無を表し、オフセットビットが“１”のときには第１チャネルの割当ての有無を表す。図８の例では、割当て情報８−３はオフセットビットが“１”であり、チャネル単位通知ビットが“０１”であるため、１チャネルオフセットさせた２次レベルで通知している。この場合、チャネルビットの一番左のビットは、第１チャネルと第２チャネルを結合した２次レベルの仮想チャネルを表し、中央のビットは、第３チャネルと第４チャネルを結合した２次レベルの仮想チャネルを表し、一番右側のビットは第５チャネルと第０チャネルの結合した仮想チャネルを表している。【００６９】
端末２−３には第１〜４チャネルの４チャネルが割当てられているので、チャネルビットの一番左と中央のビットを“１”、一番右のビットが“０”とする。【００７０】
また、本実施の形態のチャネル割当て動作では、図４，５のステップＳ１５，Ｓ２８の割当て情報生成において、図８に示したような本実施の形態の割当て情報８−１，８−２，８−３を生成し、ステップＳ１８，Ｓ３１の割当てチャネル算出においては、割当て情報８−１，８−２，８−３の算出と逆の処理を行う。それ以外のチャネル割当て動作は、実施の形態１と同一である。【００７１】
なお、本実施の形態では、オフセットさせていないときの第ｎチャネルの位置に第（ｎ＋１）チャネルの情報を示すようにしたが、オフセットさせていないときの第（ｎ＋１）チャネルの位置に第ｎチャネルの情報を示すようにしてもよい。また、本実施の形態では、オフセットビットを１ビットとし、１チャネルのオフセットの有無を示すようにしたが、オフセットビットを２ビット以上として、３次レベル以上の結合チャネルの組み合わせの変更をできるようにしてもよい。【００７２】
また、本実施の形態では、実施の形態１にオフセットビットを追加したが、実施の形態２および３に同様にオフセットビットを適用することもできる。実施の形態２に適用する場合には、オフセットビットを追加し、２次レベルの通知のとき（通知タイプ識別ビットが“０”のとき）にオフセットビットを利用することにより、本実施の形態と同様に２次レベルのチャネルの組み合わせを変えることができる。また、実施の形態３に適用する場合には、２次レベルの通知のとき（通知タイプ識別ビットが“１”のとき）に、無効であった左右ビットを利用すればよい。すなわち、２次レベルの通知タイプ識別ビットが２次レベルを示す場合には、左右ビットとオフセットビットとして用いることによりビットの追加をせずに２次レベルのチャネルの組み合わせを変えることができる。【００７３】
このように、本実施の形態では、オフセットビットを設けて、２次レベルのチャネル組み合わせを変えられるようにした。これにより、実施の形態１で２次レベルのチャネル単位で通知できない場合であっても、２次レベルのチャネル単位で通知することができ、実施の形態１に比べ割当て情報のデータ量を削減することができる。【００７４】
実施の形態５．
図９は、本発明にかかる通信システムの実施の形態５の構成例を示す図である。本実施の形態では、割当て情報５−１，５−２，５−３の代わりに割当て情報９−１，９−２，９−３，９−４，９−５を用い、それ以外の構成は実施の形態１と同様である。割当て情報９−１，９−２は端末２−１に、割当て情報９−３，９−４は端末２−２に、割当て情報９−５は端末２−３にそれぞれ対応する割当て情報である。実施の形態１と同様の機能のものは、同一の符号を付して説明を省略する。基地局１、端末２−１，２−２，２−３の機能構成も実施の形態１と同様である。【００７５】
実施の形態１では、チャネルビットの使用ビット数が仮想チャネルの次数に依存する。このため、事前にビット数が決まらず、受信処理が複雑になる。したがって、本実施の形態では、割当て情報のチャネルビットのビット数が一定になるように、あらかじめチャネルビットの送信ビット数を決めておき、それを超える場合には割当て情報を分割して送信する。【００７６】
つづいて、本実施の形態の割当て情報９−１，９−２，９−３，９−４，９−５の生成方法について説明する。図９の例では、端末２−１は第４チャネルのみ、端末２−２は第５チャネルのみ、端末２−３は第０チャネル〜第３チャネルまでの４つのチャネル、が割当てられている。【００７７】
本実施の形態では、まず、実施の形態１と同様に、割当て情報としてチャネル単位通知ビットとチャネルビットを生成する。チャネル単位通知ビットは、実施の形態１と同様に通知するチャネルの次数を表し、チャネルビットはビットマップ方式で各チャネルの割当てを表す。つぎに、チャネルビットがあらかじめ決めておいたチャネルビットの送信ビット数（本実施の形態では３ビット）を超える場合には、チャネルビットを送信ビット数ごとに分割する。そして、分割した各々のチャネルビットにチャネル単位通知ビットを付加する。本実施の形態では、チャネルビットの送信ビット数を３ビットとする。【００７８】
図９の例において、端末２−１の割当て情報は、実施の形態１と同様の方法で生成した場合、チャネルビットは６ビットとなり、チャネルビットの送信ビット数である３ビットを超える。したがって、端末２−１の割当て情報のチャネルビットは３ビットごとに分割される。そして、各々のチャネルビットにチャネル単位通知ビットが付加されて、２つの分割された割当て情報となる（割当て情報９−１，割当て情報９−２）。このとき、それぞれの分割された割当て情報のチャネル単位通知ビットは、チャネルビットの分割前のチャネル単位通知ビットと同じものとする。同様に、端末２−２の割当て情報も、割当て情報９−３，割当て情報９−４に分割される。【００７９】
一方、端末２−３の割当て情報は、実施の形態１と同様の方法で生成すると、チャネルビットは３ビットであり、チャネルビットの送信ビット数と同じである。したがって、分割せずに割当て情報９−５を生成する。【００８０】
端末２−１、端末２−２は、それぞれ２つの分割された割当て情報を受信するが、その割当て情報が、第０チャネル〜第２チャネルの情報であるか、第３チャネル〜第５チャネルの情報であるか、識別する必要がある。この識別方法としては、たとえば、送信時刻を変える（時間的分割）、送信周波数を変える（周波数的分割）、送信する方向を変える（空間的分割）などの方法が考えられるが、いずれの方法で実施してもよい。たとえば、周波数的分割を行う場合には、第０チャネル〜第２チャネルの情報（割当て情報９−１，割当て情報９−３）と第３チャネル〜第５チャネルの情報（割当て情報９−２，割当て情報９−４）をそれぞれ別の周波数で送信する。【００８１】
また、時間的、周波数的、または空間的に、割当て情報の示すチャネル群を定めておけば、分割した全ての割当て情報を送信する必要はなく、割当てられているチャネルを含む割当て情報（たとえば、端末２−１の場合には、割当て情報９−２）のみを送信するようにしてもよい。たとえば、第０チャネル〜第２チャネルの割当て情報の送信は周波数Ｆ１で行い、第３チャネル〜第５チャネルの割当て情報の送信は周波数Ｆ２で行う、と定める。この場合は、図９の端末２−１の場合には、周波数Ｆ２で割当て情報９−２のみを送信すればよい。端末２−１では、周波数Ｆ２で受信していることから、受信した割当て情報９−２は、第３チャネル〜第５チャネルの割当て情報であると判断でき、チャネルビットの中央のビットのみが“１”となっていることから、第４チャネルが割当てられたことがわかる。一方、周波数Ｆ２で割当て情報９−２を受信してから、あらかじめ定めたある一定時間内に周波数Ｆ１で割当て情報の送信がない場合には、第０チャネル〜第２チャネルの割当ては無いものと判断する。【００８２】
また、本実施の形態のチャネル割当て動作では、図４，５のステップＳ１５，Ｓ２８の割当て情報生成において、図９に示したような本実施の形態の割当て情報９−１，９−２，９−３，９−４，９−５を生成し、ステップＳ１８，Ｓ３１の割当てチャネル算出においては、割当て情報９−１，９−２，９−３，９−４，９−５の算出と逆の処理を行う。それ以外のチャネル割当て動作は、実施の形態１と同一である。【００８３】
なお、本実施の形態では、チャネルビットの送信ビット数を３ビットとしたが、これに限るわけではなく、通信システムの使用可能なチャネル数，使用する最大の仮想チャネルの次数などを考慮して適切に設定すればよい。また、使用可能なチャネル数がチャネルビットの送信ビット数の整数倍でないときには、分割した割当て情報が通知するチャネル数がチャネルビットの送信ビットに満たないことがある。このような場合は、ダミーデータを追加して、ダミーデータと通知するチャネル数の合計のビット数がチャネルビットの送信ビットになるようにする。【００８４】
このように、本実施の形態では、割当て情報の送信ビット数を定めて、送信ビット数を超える場合に、割当て情報を分割して割当て情報の送信ビット数が常に一定になるようにした。これにより、実施の形態１に比べ受信側の処理を削減することができる。【００８５】
実施の形態６．
図１０は、本発明にかかる通信システムの実施の形態６の構成例を示す図である。本実施の形態では、割当て情報５−１，５−２，５−３の代わりに割当て情報１０−１，１０−２，１０−３を用い、それ以外の構成は実施の形態１と同様である。割当て情報１０−１は端末２−１に、割当て情報１０−２は端末２−２に、割当て情報１０−３は端末２−３にそれぞれ対応する割当て情報である。実施の形態１と同様の機能のものは、同一の符号を付して説明を省略する。基地局１、端末２−１，２−２，２−３の機能構成も実施の形態１と同様である。【００８６】
実施の形態１では、チャネルビットの使用ビット数が仮想チャネルの次数に依存する。このため、事前にビット数が決まらず、受信処理が複雑になる。したがって、本実施の形態では、割当て情報のチャネルビットのビット数が一定になるように、１次レベルの通知の場合には、チャネルを２つのグループ（以下、チャネルグループという）にわけ、どちらのグループの割当て情報であるかを示すグループ通知ビットを設けて、割当てられたチャネルが含まれるグループの割当て情報のみ送信する。【００８７】
つづいて、本実施の形態の割当て情報１０−１，１０−２，１０−３の生成方法について説明する。図１０の例では、端末２−１は第２チャネルのみ、端末２−２は第５チャネルのみ、端末２−３は第０チャネルおよび第１チャネルの２つのチャネル、が割当てられている。【００８８】
本実施の形態では、まず、実施の形態１と同様に、割当て情報（チャネル単位通知ビットとチャネルビット）を生成し、チャネル単位通知ビットとチャネルビットを使用して割当て情報の通知を行う。チャネル単位通知ビットは、実施の形態１と同様に通知するチャネルの次数を表し、チャネルビットはビットマップ方式で各チャネルの割当てを表す。ただし、本実施の形態では、チャネル単位通知ビットは１ビットとし、仮想チャネルは２次レベルまでで通知を行うこととする。つぎに、１次レベルの通知の場合には、チャネルビットを２つに分割する。本実施の形態では、第０チャネル〜第２チャネルの若番グループ、第３チャネル〜第５チャネルの老番グループ、の２つに分割する。【００８９】
つぎに、端末２−１，端末２−２については、単一チャネルの割当てであるため、２つのチャネルグループのうち、割当てチャネルがどちらのグループに含まれるかを算出する。割当てチャネルが若番グループに含まれる場合には、グループビットは“０”、老番グループに含まれる場合にはグループビットは“１”とする。そして、チャネルビットのうち、割当てビットが含まれるグループのチャネルビット（図１０の例では、端末２−１の場合には第０チャネル〜第２チャネルのチャネルビット、端末２−２の場合には、第３チャネル〜第５チャネルのチャネルビット）のみを選択する。そして、チャネル単位通知ビット，グループビット，選択したチャネルビットを割当て情報とする。【００９０】
一方、端末２−３の割当て情報は、実施の形態１と同様に生成するが、２次レベルの通知であるため、グループの選択は必要なくチャネルビットはそのまま送信する。グループビットはダミーとし受信側でもこのビットは処理に使用しない。【００９１】
なお、本実施の形態のチャネル割当て動作では、図４，５のステップＳ１５，Ｓ２８の割当て情報生成において、図１０に示したような本実施の形態の割当て情報１０−１，１０−２，１０−３を生成し、ステップＳ１８，Ｓ３１の割当てチャネル算出において、割当て情報１０−１，１０−２，１０−３の算出の逆算処理を行う。それ以外のチャネル割当て動作は、実施の形態１と同一である。【００９２】
また、本実施の形態では、チャネル単位通知ビットを１ビットとし、２次レベルまでのチャネル通知を行うこととしたが、チャネル単位通知ビットを２ビット以上にし、３次以上のチャネル単位で通知できるようにしてもよい。この場合、チャネルグループも３つ以上となるため、グループビットのビット数もチャネルグループの数にあわせて変更する。そして、チャネルグループの数でチャネルビットを分割するようにすればよい。【００９３】
このように、本実施の形態では、１次レベルの通知の場合にはチャネルを２つのグループに分割し、割当てられたチャネルを含むチャネルグループの割当て情報のみ送信するようにし、割当て情報の送信ビット数が常に一定になるようにした。これにより、実施の形態１に比べ受信側の処理を削減することができる。【００９４】
実施の形態７．
図１２は、本発明にかかる通信システムの実施の形態７の構成例を示す図である。本実施の形態では、３次レベルが存在する場合のチャネル割当て通知の方法例を示している。さらに図１２では、チャネル単位通知ビットとグループビットのそれぞれのビットエリアを明確に分けることなく、それらの組合せ数から必要なビットエリアを定義することでこれらのビットに要するビット数を削減する例を示している。【００９５】
割当て情報１２−１から１２−４までは１次レベルの通知、割当て情報１２−５と１２−６は２次レベルの通知、割当て情報１２−７は３次レベルの通知を実施している。２次レベルは２つの隣り合う通信チャネルを１つにまとめたチャネル単位を定義し、３次レベルは４つの隣り合う通信チャネルを１つにまとめたチャネル単位を定義している。ここで、割当て情報のうち通信チャネル割当てを示すビットとして各端末に通知されるビット数は次数に関係なくいつでも同じであり、図１２の例では実線で囲まれた４ビットである。【００９６】
言い換えると次の様になる。１次レベルでは全１６個の通信チャネルをそのままの大きさで４つのグループに分けており、そのうちの１つのグループ中の割当て情報のみを通知する。具体的には割当て情報１２−１、１２−２、１２−３、１２−４がそれぞれのグループに対応しており、いずれか１つのグループに対するチャネル割当てを各端末に通知する。２次レベルでは全１６個の通信チャネルを８つのチャネルに定義し直し、２次レベルのチャネルで２つのグループに分けている。そのうちのいずれか１つのグループ中の割当て情報のみを通知する。具体的には割当て情報１２−５、１２−６がそれぞれのグループに対応しており、いずれか１つのグループに対するチャネル割当てを各端末に通知する。３次レベルでは全１６個の通信チャネルを４つのチャネルに定義し直し、３次レベルのチャネルで１つのグループを定義している。具体的には割当て情報１２−７が対応しており、この情報を各端末に通知する。【００９７】
上記チャネル単位（１、２、３次レベル）とチャネル割当て情報が対応するグループを通知するのには３ビットで実現できる。それぞれのレベルで存在するグループ数は４、２、１であり、合計で７つの状態が存在するため、所要ビット数は３となる。この３ビットは図１２において、各割当て情報の左端に位置する３ビットである。これらの情報を受信する端末においては、３ビットのうち左端のビットで１次レベル（＝０）か２次あるいは３次レベル（＝１）を判断する。１次レベルの場合には残りの右端２ビットでグループを判断する。２次あるいは３次レベルの場合には中間ビットで２次レベル（＝０）か３次レベル（＝１）を判断する。さら２次レベルの場合には残りの右端１ビットでグループを判断する。この例では３ビットのうち中間ビットがチャネル単位を識別する役割をしている場合とグループを識別する役割をしている場合とがある。なお、ここで述べたビットパターンは一つの例であり、チャネル単位およびグループが識別可能であれば、特定のビットパターンに依らず実現が可能である。また本例では３次レベルまでを記述したが、さらに高次のレベルが存在する場合にも同様の考え方が適用できる。【００９８】
このように、本実施の形態では、チャネル単位の次数レベルと、それぞれのレベルに付随するグループ群のうちチャネル割当て情報が有効であるグループを通知するときに、チャネル単位とそれぞれのグループ数から成る組合せの数から、これらの通知に要するビット数を定義している。これにより、情報それぞれのビットエリアを明確に分ける場合よりも、使用するビット数が少なくなり、制御信号として端末に通知する情報量が少なくなり、その分をデータ伝送に使用することができる。【００９９】
以上までは、複数チャネルが必要な場合には、連続する通信チャネルを優先的に割当てることを例として述べてきたが、実施の形態１〜７において、チャネル割当てに自由度を持たせることを重要視し、割当て時にはチャネルの連続は意識せずに選択する方法も考えられる。この場合にも、チャネル割当ての結果として連続する通信チャネルが存在すれば、本発明を適用することができる。従って、１次レベルでの通知でも、同一端末に２つ以上の通信チャネルを割当てる場合が発生する。この場合にはそれらに相当する割当て情報の複数のビットに“１”としてよい。例えば図１の例で割当て情報５−１、５−２では１つの通信チャネルのみに“１”としているが、複数の通信チャネルについて“１”とする。【０１００】
さらに以上までは、チャネル結合の次数についてできるだけ高いレベルを使ってチャネル割当てを通知するルールで述べてきたが、実施の形態１〜７において、通信システムとして最高次数が決められる場合も考えられる。その場合には、その最高次数を超えて通知することはしない。
【産業上の利用可能性】
【０１０１】
以上のように、本発明にかかるチャネル割当て通知方法は、複数のチャネルを使用して通信を行う通信システムに有用であり、特に、複数のチャネルを１つの端末に割当て、その割当て情報を当該端末に通知する通信システムに適している。
【図１】
2008041417.tif 000003
【図２】
2008041417.tif 000004
【図３】
2008041417.tif 000005
【図４】
2008041417.tif 000006
【図５】
2008041417.tif 000007
【図６】
2008041417.tif 000008
【図７】
2008041417.tif 000009
【図８】
2008041417.tif 000010
【図９】
2008041417.tif 000011
【図１０】
2008041417.tif 000012
【図１１】
2008041417.tif 000013
【図１２】
2008041417.tif 000014
【国際調査報告】
2008041417.tif 000015
2008041417.tif 000016